(57)【要約】【課題】最大積載枚数が異なる複数の給送ユニットを用意すると、記録装置の製造コストが増大してしまうという課題がある。【解決手段】用紙の積載量が異なる複数種の用紙積載ユニット１００，１００ａと、用紙積載ユニット１００，１００ａが共通に装着される装着部と、用紙積載ユニット１００，１００ａに載置された用紙を給送する共通の給送部と、給送部で給送された用紙に記録する記録部と、を備えた記録装置１，１ａを提供する。【選択図】図７
2013056714.tif 000002
【特許請求の範囲】
【請求項１】
被記録媒体の積載量、積載される大きさ、積載される紙種の少なくとも１つが異なる複数種の被記録媒体積載ユニットと、
前記複数種の被記録媒体積載ユニットが共通に装着される装着部と、
前記複数種の被記録媒体積載ユニットに載置された被記録媒体を給送する共通の給送部と、
前記給送部で給送された被記録媒体に記録する記録部と、
を備えることを特徴とする記録装置。
【請求項２】
前記記録部を備える記録ユニットと、
前記記録ユニットに対して着脱可能で、前記装着部及び前記給送部を備える保持ユニットを備え、
前記複数種の被記録媒体積載ユニットは、前記保持ユニットの前記装着部に共通に着脱可能に装着され、前記被記録媒体積載ユニットに積載された被記録媒体は、前記保持ユニットの前記給送部により、前記記録ユニットの前記記録部に向けて搬送されることを特徴とする請求項１に記載の記録装置。
【請求項３】
前記複数種の被記録媒体積載ユニットに設けられ、載置された被記録媒体を案内するガイド部と、
前記保持ユニットの前記被記録媒体積載ユニットの前記ガイド部に対応する位置に設けられた開口部と、
前記記録ユニットの前記保持ユニットの前記開口部に対応する位置に設けられ、被記録媒体を前記記録部に案内するための搬送受け部と、
を備えることを特徴とする請求項２に記載の記録装置。
【発明の詳細な説明】
【技術分野】
【０００１】
本発明は、複数種の被記録媒体積載ユニットを備える記録装置に関する。
【背景技術】
【０００２】
複写機、ファクシミリ、レーザープリンター、インクジェットプリンターなどの記録装置には、カセットに積載された用紙を給送する給送ユニットが、装置本体下部に着脱可能に装着され、給送可能枚数を増加させるものがある。
例えば、特許文献１では、プリンター本体の底部に装着可能に取り付けられた給送ユニットであるオプションフィーダーが取り付けられている。
【先行技術文献】
【特許文献】
【０００３】
【特許文献１】特開２００４−２６４３８号公報
【発明の概要】
【発明が解決しようとする課題】
【０００４】
使用者によって、所望する最大給送可能枚数が異なる場合がある。そこで、カセットに積載可能な最大積載枚数が異なる複数の給送ユニットを用意し、そのうちの使用者によって選択された給送ユニットを装着することにより、使用者が所望する最大給送可能枚数に設定することが考えられる。各給送ユニットはカセットに積載された用紙を給紙する給紙機構を個別に備えている。
【０００５】
しかしながら、最大積載枚数が異なる複数の給紙機構を備えた給送ユニットを用意すると、記録装置全体としての製造コストが増大してしまうという課題がある。
【課題を解決するための手段】
【０００６】
本発明は、上述の課題の少なくとも一部を解決するためになされたものであり、以下の形態または適用例として実現することが可能である。
【０００７】
［適用例１］被記録媒体の積載量、積載される大きさ、積載される紙種の少なくとも１つが異なる複数種の被記録媒体積載ユニットと、前記複数種の被記録媒体積載ユニットが共通に装着される装着部と、前記複数種の被記録媒体積載ユニットに載置された被記録媒体を給送する共通の給送部と、前記給送部で給送された被記録媒体に記録する記録部と、
を備えることを特徴とする記録装置。
【０００８】
本適用例によれば、共通の装着部を用いて複数種の被記録媒体積載ユニットを装着できるとともに、共通の給送部により、被記録媒体積載ユニットに載置された被記録媒体を給送し、記録することができる。そのため、複数種の被記録媒体積載ユニットごとに給送部を備えなくてもよい。これにより、被記録媒体積載ユニットの製造コストの増加を抑制できる。
【０００９】
［適用例２］前記記録部を備える記録ユニットと、前記記録ユニットに対して着脱可能で、前記装着部及び前記給送部を備える保持ユニットを備え、前記複数種の被記録媒体積載ユニットは、前記保持ユニットの前記装着部に共通に着脱可能に装着され、前記被記録媒体積載ユニットに積載された被記録媒体は、前記保持ユニットの前記給送部により、前記記録ユニットの前記記録部に向けて搬送されることを特徴とする上記記録装置。
【００１０】
本適用例によれば、給送部を１つの分離した保持ユニットで構成することで、比較的な簡単な構成で記録装置を構成することができる。
【００１１】
［適用例３］前記複数種の被記録媒体積載ユニットに設けられ、載置された被記録媒体を案内するガイド部と、前記保持ユニットの前記被記録媒体積載ユニットの前記ガイド部に対応する位置に設けられた開口部と、前記記録ユニットの前記保持ユニットの前記開口部に対応する位置に設けられ、被記録媒体を前記記録部に案内するための搬送受け部と、を備えることを特徴とする上記記録装置。
【００１２】
本適用例によれば、保持ユニットの共通の開口部を通して、被記録媒体積載ユニットに載置された被記録媒体を記録ユニットの記録部に搬送することができる。
【図面の簡単な説明】
【００１３】
【図１】記録装置の外観斜視図。
【図２】筐体本体保持部、カセット保持部、カセットを示す斜視図。
【図３】カセット保持部、カセットを示す斜視図。
【図４】筐体本体保持部、駆動部、給送部を鉛直方向下側から見た斜視図。
【図５】筐体本体保持部、駆動部、給送部を鉛直方向下側から見た斜視図。
【図６】筐体本体保持部、カセット保持部、カセットを示す斜視図。
【図７】筐体本体保持部に被記録媒体積載ユニットを装着させた状態における正面図。
【図８】実施形態２におけるカセット保持部の底部に備えた突出部を示す斜視図。
【図９】実施形態３における記録装置の正面図。
【発明を実施するための形態】
【００１４】
以下、本発明の実施形態について、図面を参照して説明する。
（実施形態１）
図１は、実施形態１に係る記録装置１の外観斜視図である。記録装置１の筐体４は、記録ユニットを構成する筐体本体２と、筐体本体２を鉛直方向Ｄ１下側で保持する保持ユニットを構成する筐体本体保持部３とを含んで構成される。
【００１５】
筐体本体２の内部には、インクを噴射する液体噴射ヘッド（不図示）からインクを噴射し、被記録媒体としての用紙を搬送させながら、用紙に画像を形成する記録部（不図示）が備えられる。
【００１６】
筐体本体２には、記録装置１の電源をオン・オフしたり、用紙に記録するときの印刷条件などを設定するための操作ボタン９が備えられる。筐体本体２には、液晶パネルなどによって構成された表示部８が備えられ、印刷条件を表示したり、エラーメッセージなどを表示する。
【００１７】
また、筐体本体２には、排出口としての開口部７が設けられ、記録された用紙が開口部７から排出方向Ｄ２に排出される。筐体本体２の背面側には、用紙を載置するための用紙サポート１０が備えられる。記録する１つの経路として、用紙サポート１０に載置された用紙は、筐体本体２内の液体噴射ヘッドに対向する領域に搬送される。そして、液体噴射ヘッドで記録された用紙は開口部７に排出されるよう搬送される。
【００１８】
給送部を備えた筐体本体保持部３は、筐体本体保持部３の鉛直方向Ｄ１下側に置かれたカセット保持部５上に装着される。
【００１９】
カセット保持部５は、用紙を積載して収容可能なカセット６を排出方向Ｄ２にスライド可能に保持する。カセット６には、使用者によってカセット６をスライドさせるための取手部６１が設けられる。
【００２０】
図２（ａ）〜（ｃ）は、筐体本体保持部３、カセット保持部５、カセット６を示す斜視図である。被記録媒体積載ユニットとしての用紙積載ユニット１００は、カセット保持部５、カセット６を含んで構成される。
【００２１】
筐体本体保持部３の鉛直方向Ｄ１上側には、円柱状に突出した突起３１が外周側に複数個所に設けられる。図１の筐体本体２の鉛直方向Ｄ１下側には、突起３１と係合あるいは嵌合可能な凹部（不図示）が形成されている。
【００２２】
また、筐体本体保持部３の鉛直方向Ｄ１上側には、凹部３３，３４が外周側に複数個所に設けられる。図１の筐体本体２の鉛直方向Ｄ１下側には、凹部３３，３４と係合あるいは嵌合可能な凸部（不図示）が形成されている。
【００２３】
筐体本体２に設けられた凹部と筐体本体保持部３の突起３１とが、筐体本体２に設けられた凸部と筐体本体保持部３の凹部３３，３４とが、互いに係合あるいは嵌合することにより、筐体本体２と筐体本体保持部３とは連結される。
【００２４】
図２（ａ）は、用紙積載ユニット１００を筐体本体保持部３に装着させた状態における斜視図である。図２（ｂ）、（ｃ）は、用紙積載ユニット１００を筐体本体保持部３から離脱させた状態における斜視図である。カセット保持部５は、カセット６を排出方向Ｄ２にスライド可能に保持する。図３は、用紙積載ユニット１００の斜視図である。
【００２５】
図４、図５は、筐体本体保持部３、駆動部１２、給送部１３を鉛直方向Ｄ１下側から見た斜視図である。図４は、筐体本体保持部３に駆動部１２と給送部１３を取り付ける前の状態を示す。図５は、筐体本体保持部３に駆動部１２と給送部１３を取り付けた状態を示す。
【００２６】
図４の支持部１４は、駆動部１２と給送部１３とを支持している。支持部１４には、貫通孔１４１が設けられている。筐体本体保持部３の取り付け面３６には、鉛直方向Ｄ１下側に突出したネジ部３５が備えられる。支持部１４は、ネジ部３５が貫通孔１４１を貫通し、ナット（不図示）を締め付けることによって、図５に示すように筐体本体保持部３の取り付け面３６に固定される。
【００２７】
駆動部１２には、モーター１２１、歯車１２２，１２３，１２４が備えられる。給送部１３には、一対の給送ローラー１３１、歯車１３２，１３３，１３４が備えられる。モーター１２１の回転駆動力は、駆動部１２における歯車１２２，１２３，１２４、伝達軸（不図示）、給送部１３における歯車１３２，１３３，１３４を介して給送ローラー１３１に伝達される。
【００２８】
給送部１３は、歯車１３４の回転軸を支点として揺動することができる。そのため、カセット６に積載された用紙の高さが変化しても、給送ローラー１３１は、鉛直方向Ｄ１における位置が変動し、用紙の最上部に当接することができる。
【００２９】
また、筐体本体保持部３は、用紙の積載容量あるいは、サイズの異なる用紙あるいは紙種が異なる用紙を積載する複数種の用紙積載ユニットを装着可能であり、筐体本体保持部３の給送部１３で用紙積載ユニットの用紙を給送するものである。
【００３０】
図２（ａ）〜（ｃ）に示すように、筐体本体保持部３の上面には、コネクター１１が突き出している。コネクター１１は、筐体本体保持部３に筐体本体２を配置したときに、筐体本体２の制御部と電気的に接続される。これにより、モーター１２１は、コネクター１１を介して筐体本体２に備えられた制御部（不図示）によって駆動制御される。モーター１２１の回転駆動力が伝達された給送ローラー１３１が、回転しながら用紙の最上部に当接することにより、用紙が給送方向Ｄ３に給送される。
【００３１】
図３に示すように、カセット６における給送方向Ｄ３における下流側、すなわちカセット６の取手部６１と反対側には、分離斜面６２が給送方向Ｄ３と交わる方向に４箇所に並んで備えられる。筐体本体保持部３の給送ローラー１３１によって給送された用紙は、分離斜面６２によって分離される。
【００３２】
カセット保持部５における給送方向Ｄ３における分離斜面６２の下流側には、ガイド部５１が備えられる。図２（ａ）に示すように、筐体本体保持部３にカセット保持部５が備えられた状態では、ガイド部５１は、筐体本体保持部３に設けられた開口部３２から鉛直方向Ｄ１上側に突出した状態に備えられる。
【００３３】
筐体本体２には、筐体本体保持部３の開口部３２に対応した搬送受け部を備えており、この搬送受け部にカセット６のガイド部５１の先端側が配置される。搬送受け部は、用紙サポート１０の搬送経路に合流される。
【００３４】
これにより、給送ローラー１３１によって給送され、分離斜面６２によって分離された用紙は、ガイド部５１によって鉛直方向上向きに案内されて筐体本体２側に搬送される。そして、用紙は、液体噴射ヘッドに対向する領域に搬送され、液体噴射ヘッドで記録された用紙は開口部７に排出される。
【００３５】
図４の筐体本体保持部３は、図３の用紙積載ユニット１００が挿入し装着されるための、鉛直方向Ｄ１下側が開口した凹部が形成されている。図３のカセット保持部５には、連結部としての凹部５２が設けられている。また、図４の筐体本体保持部３には、凸部３７が設けられている。凹部５２と凸部３７が係合あるいは嵌合することにより、カセット保持部５は、図２（ａ）に示すように筐体本体保持部３に装着された状態となる。本実施形態の装着部は、筐体本体保持部３において、用紙積載ユニット１００が挿入し装着されるための鉛直方向Ｄ１下側が開口した凹部と、凸部３７によって構成される。
【００３６】
また、凹部５２と凸部３７が離間することにより、カセット保持部５は、図２（ｂ）に示すように筐体本体保持部３から離脱された状態となる。
【００３７】
カセット６は、Ｌ２の高さに応じた用紙を積載することができる。カセット保持部５の高さＬ１は、カセット６の高さＬ２に応じた高さに設定されている。
【００３８】
図６（ａ）〜（ｃ）は、被記録媒体積載ユニットとしての用紙積載ユニット１００ａを示す斜視図である。用紙積載ユニット１００ａは、図２（ａ）〜（ｃ）の用紙積載ユニット１００より多くの用紙を積載できる点で異なり、他の構成は用紙積載ユニット１００と同様である。用紙積載ユニット１００ａは、カセット保持部５ａ、カセット６ａを含んで構成される。
【００３９】
図６（ａ）は、用紙積載ユニット１００ａを筐体本体保持部３に装着させた状態における斜視図である。図６（ｂ）、（ｃ）は、用紙積載ユニット１００ａを筐体本体保持部３から離脱させた状態における斜視図である。
【００４０】
用紙積載ユニット１００ａは、筐体本体保持部３の鉛直方向Ｄ１下側が開口した凹部に挿入されて装着される。また、図３の用紙積載ユニット１００におけるカセット保持部５と同様に、図６（ｂ）の用紙積載ユニット１００ａにおけるカセット保持部５ａには、図４の凸部３７と係合あるいは嵌合可能な連結部としての凹部５２ａが設けられている。そのため、用紙積載ユニット１００ａを、筐体本体保持部３に装着させたり、筐体本体保持部３から離脱させたりすることができる。
【００４１】
また、図３の用紙積載ユニット１００におけるカセット６と同様に、図６（ｂ）のカセット６ａには、筐体本体保持部３の給送ローラー１３１によって給送される用紙を分離するための分離斜面６２ａや、ガイド部５１ａが備えられている。
【００４２】
図６（ｃ）のカセット保持部５ａの鉛直方向Ｄ１における外形高さＬ３は、図２（ｃ）のカセット保持部５の鉛直方向Ｄ１における外形高さＬ１より長い。また、図６（ｃ）のカセット６ａの鉛直方向Ｄ１における壁部の高さＬ４は、図２（ｃ）のカセット６の鉛直方向Ｄ１における壁部の高さＬ２より長い。従って、カセット６ａの用紙収容部の深さがより深くなっており、用紙積載ユニット１００ａに積載可能な最大積載枚数は、用紙積載ユニット１００に積載可能な最大積載枚数より多い。
【００４３】
そして、カセット６ａに載置された用紙は、給送ローラー１３１によって給送され、分離斜面６２ａによって分離される。分離された用紙は、ガイド部５１ａによって鉛直方向上向きに案内され、筐体本体保持部３の開口部３２を介して筐体本体２側に搬送される。そして、用紙は、液体噴射ヘッドに対向する領域に搬送され、液体噴射ヘッドで記録された用紙は開口部７に排出される。
【００４４】
図７（ａ）は、筐体本体保持部３に用紙積載ユニット１００を装着し構成された記録装置１の正面図である。図７（ｂ）は、筐体本体保持部３に用紙積載ユニット１００ａを装着し構成された記録装置１ａの正面図である。
【００４５】
図７（ａ）のカセット保持部５の底部５３は、設置面１５に接しており、筐体本体保持部３の底部３８も設置面１５に接している。前述したように、図７（ｂ）のカセット保持部５ａの鉛直方向Ｄ１における高さＬ３は、図７（ａ）のカセット保持部５の鉛直方向Ｄ１における高さＬ１より長い。そのため、図７（ｂ）のカセット保持部５ａの底部５３ａは、設置面１５に当接するが、筐体本体保持部３の底部３８は、設置面１５からの鉛直方向Ｄ１における高さＬ５を保って設置面１５から離れている。
【００４６】
以上、本実施形態で説明した図７（ａ）の記録装置１は、用紙の積載量が異なる複数種の用紙積載ユニット１００，１００ａと、用紙積載ユニット１００，１００ａが共通に装着される装着部と、用紙積載ユニット１００，１００ａに載置された用紙を給送する共通の給送部１３と、給送部１３で給送された用紙に記録する記録部と、を備える。
【００４７】
また、用紙積載ユニット１００，１００ａは、筐体本体保持部３に対して共通の着脱可能な連結部としての凹部５２，５２ａを備えている。
【００４８】
用紙積載ユニット１００における最大積載枚数は、用紙積載ユニット１００ａにおける最大積載枚数と異なる。使用者は、用紙積載ユニット１００または用紙積載ユニット１００ａを選択し、選択した用紙積載ユニットを装着し、図７（ａ）の記録装置１または図７（ｂ）の記録装置１ａとして使用することができる。
【００４９】
本実施形態における記録装置１，１ａの構成によれば、用紙を給送する給送部１３が記録装置１，１ａにおける筐体４側である筐体本体保持部３に設けられる。そのため、用紙積載ユニット１００，１００ａに給送部１３をそれぞれ備えなくてもよい。これにより、用紙積載ユニット１００，１００ａの製造コストの増加を抑制できる。
【００５０】
（実施形態２）
実施形態２では、カセット保持部の底部に突出部を備えた用紙積載ユニットについて説明する。図８は、実施形態２におけるカセット保持部の底部に備えた突出部を示す斜視図である。
【００５１】
実施形態２では、実施形態１で説明したカセット保持部５，５ａの底部５３，５３ａの外周部に鉛直方向Ｄ１における底部５３，５３ａからの高さが略同じである突出部５４，５４ａをそれぞれ備える。突出部５４，５４ａの鉛直方向Ｄ１下側の面は平面である。
【００５２】
この構成により、突出部５４，５４ａは設置面に接し、実施形態１で説明した筐体本体保持部３を支持する。そのため、カセット保持部５，５ａが設置面において滑って移動することを抑制できる。本実施形態の突出部５４，５４ａは、円柱状であるが、角柱状であってもよい。実施形態２における記録装置の他の構成は、実施形態１の記録装置１，１ａの構成と同じである。
【００５３】
また、突出部は、図７（ｂ）に示す、筐体本体保持部３の底部３８と設置面１５との間のＬ５に相当する高さを備え、その突出部を筐体本体保持部３の底部３８に設けてもよい。突出部の高さは、カセット保持部の一番高い高さのものを基準に設定するとよい。
【００５４】
（実施形態３）
実施形態１、実施形態２では、筐体４は筐体本体２と筐体本体保持部３とを着脱可能に構成されたが、一体の筐体として構成された記録装置であってもよい。
【００５５】
図９（ａ）、（ｂ）は、実施形態３における記録装置１ｂ，１ｃの正面図である。記録装置１ｂ，１ｃの筐体４ａは、一体の筐体から構成される記録装置本体である。筐体４ａの内部には、実施形態１で説明した記録部や制御部などが備えられる。
【００５６】
図９（ａ）の記録装置１ｂは、実施形態１で説明した用紙積載ユニット１００が筐体４ａに装着されて構成される。図９（ｂ）の記録装置１ｃは、実施形態１で説明した用紙積載ユニット１００ａが筐体４ａに装着されて構成される。
【００５７】
図９（ａ）のカセット保持部５の底部５３は、設置面１５に接しており、筐体４ａの底部４１も設置面１５に接している。前述したように、図９（ｂ）のカセット保持部５ａの鉛直方向Ｄ１における高さＬ３は、図９（ａ）のカセット保持部５の鉛直方向Ｄ１における高さＬ１より長い。そのため、図９（ｂ）のカセット保持部５ａの底部５３ａは、設置面１５に当接するが、筐体４ａの底部４１は、設置面１５からの鉛直方向Ｄ１における高さＬ５を保って設置面１５から離れている。
【００５８】
また、用紙積載ユニットは、用紙の積載容量が異なるものだけでなく、サイズの異なる用紙あるいは紙種が異なる用紙を積載する複数種の用紙積載ユニットを備えてもよい。この場合も、筐体本体保持部あるいは記録装置本体に設けられた共通の装着部に複数種の用紙積載ユニットが装着される。そして、筐体本体保持部あるいは記録装置本体に設けられた共通の給送部より、装着された用紙積載ユニットのカセットに載置された用紙が給送される。
【００５９】
なお、実施形態１〜実施形態３で説明した記録装置１，１ａ，１ｂ，１ｃは、液体噴射ヘッドからインクを噴射して画像を形成する記録装置について説明したが、レーザー光線を感光体に照射して画像を形成する記録装置にも適用する。
【符号の説明】
【００６０】
１，１ａ，１ｂ，１ｃ…記録装置、２…筐体本体、３…筐体本体保持部、４，４ａ…筐体、５，５ａ…カセット保持部、６，６ａ…カセット、１３…給送部、３２…開口部、３７…凸部、５１，５１ａ…ガイド部、１００，１００ａ…用紙積載ユニット。
【図１】
2013056714.tif 000003
【図２】
2013056714.tif 000004
【図３】
2013056714.tif 000005
【図４】
2013056714.tif 000006
【図５】
2013056714.tif 000007
【図６】
2013056714.tif 000008
【図７】
2013056714.tif 000009
【図８】
2013056714.tif 000010
【図９】
2013056714.tif 000011